(57)【特許請求の範囲】
【請求項１】
円周方向に沿って内歯が形成された第１部材と、
前記内歯と噛合可能な外歯を有した複数のポールと、
前記第１部材の開放面側に積層され、前記第１部材と前記円周方向に相対回転可能に設けられ、前記外歯が前記内歯と噛合するロック位置，前記外歯が前記内歯から離れたアンロック位置の間で前記各ポールを案内するガイド手段が形成された第２部材と、
前記第１部材と前記第２部材との間で、前記相対回転の軸上に回転可能に設けられ、一方の方向に回転すると前記外歯が前記内歯に噛合する方向に前記ポールを移動させるカム手段と、
を有し、
前記ポールの外歯が前記第１部材の前記内歯に噛合することにより、前記第１部材と第２部材との相対回転が禁止されるリクライニング装置において、
前記複数のポールは、
対角位置に配置された一対のメインポールと、
少なくとも1つのサブポールとからなり、
前記カム手段が前記各ポールをロック位置に移動させ、前記一対のメインポールの外歯と第１部材の内歯とが遊びがない噛合となった状態で、前記サブポールの外歯と前記第１部材の内歯とは遊びがある噛合であることを特徴とするリクライニング装置。
【請求項２】
前記メインポールは、上下方向に配置されていることを特徴とする請求項１記載のリクライニング装置。
【請求項３】
前記カム手段の前記サブポールを押す面は、前記相対回転の軸を中心とする円周面であり、
前記カム手段により押される前記サブポールの面の終端は、前記相対回転の軸に沿い、前記円周面に接触可能な突部であることを特徴とする請求項１または２記載のリクライニング装置。
【請求項４】
前記カム手段は、
前記相対回転の軸上に回転可能に設けられ、前記サブポールの前記外歯が設けられた面と反対側の面を直接押して、前記外歯が前記第１部材の内歯に噛合する方向に前記サブポールを移動させる第１カムと、
該第１カムと前記メインポールとの間に設けられ、前記第１カムに押されると前記メインポールの前記外歯が設けられた面と反対側に形成された面を押し、前記外歯が前記第１部材の内歯に噛合する方向に前記メインポールを移動させる第２カムと、
からなることを特徴とする請求項１乃至３のいずれかに記載のリクライニング装置。
【発明の詳細な説明】
【技術分野】
【０００１】
本発明は、円周方向に沿って内歯が形成された第１部材と、前記内歯と噛合可能な外歯を有した複数のポールと、前記第１部材の開放面側に積層され、前記第１部材と前記円周方向に相対回転可能に設けられ、前記外歯が前記内歯と噛合するロック位置，前記外歯が前記内歯から離れたアンロック位置の間で前記各ポールを案内するガイド手段が形成された第２部材と、前記第１部材と前記第２部材との間で、前記相対回転の軸上に回転可能に設けられ、一方の方向に回転すると前記外歯が前記内歯に噛合する方向に前記ポールを移動させるカム手段と、を有し、前記ポールの外歯が前記第１部材の前記内歯に噛合することにより、前記第１部材と第２部材との相対回転が禁止されるリクライニング装置に関する。
【背景技術】
【０００２】
図７−図９を用いて従来のリクライニング装置の一例を説明する。図７はシートの構成図、図８は従来のリクライニング装置の分解斜視図、図９は図８に示すリクライニング装置で、第２部材、シャフト、スプリングを除いて組み付けた状態でのＡ方向矢視図である。
【０００３】
図７に示すように、シート１は、着座者の臀部を支持するシートクッション２と、シートクッション２に対して前後方向に傾動可能に設けられ、着座者の背部を支持するシートバック３とからなっている。４はシートバック３の傾動の回転軸上に設けられ、シートバック３の傾動を許可／禁止するリクライニング装置である。
【０００４】
リクライニング装置４は、図８、図９に示すように、シートバック３に設けられる第１部材（ラチェット）７は、一方の面が開放面となった有底円筒状で、内筒面に円周方向に沿って内歯７ａが形成されている。４つのポール９には、内歯７ａと噛合可能な外歯９ａが形成されている。
【０００５】
第１部材７の開放面側には、シートクッション２に設けられる第２部材（ベースプレート）１１が外周リング１０を用いて積層され、第１部材７と円周方向に相対回転可能となっている。この第２部材１１には、各ポール９の両側面を挟み、外歯９ａが内歯７ａと噛合するロック位置，外歯９ａが内歯７ａから離れたアンロック位置の間で各ポール９を案内する４つのポールガイド１１ａ、１１ｂ、１１ｃが形成されている。
【０００６】
第１部材７と第２部材１１との間には、ロック手段としての、カム１３が設けられる。
このカム１３は、第１部材７の相対回転の軸を中心とする穴７ｂに回転可能に嵌合する軸８に取り付けられていれている。そして、カム１３には、周方向に９０度ピッチで径方向に延出する突部１３ａ，１３ｂが形成されている。
【０００７】
一方、ポール９の外歯が設けられた面と反対側の面には、カム１３の突部１３ａが当接可能な突部９ｂと、カム１３の突部１３ｂと隙間を介して対向する突部９ｃとが形成されている。
【０００８】
カム１３が一方の方向（図において、矢印Ａ方向）に回転すると、突部１３ａがポール９の突部９ｂを押し、外歯９ａが内歯７ａに噛合する方向（ロック位置方向）にポール９が移動する。この時、カム１３の突部１３ｂは、ポール９の突部９ｃと、微少な空間を介して対向している。
【０００９】
また、ポール９の第１部材７の底面と対向する面には、突部９ｂが形成されている。カム１３の第１部材７側の周面には、カム１３と一体となって回転するようにレリーズプレート１２が取り付けられている。このレリーズプレート１２には、各ポールの突部９ｂが係合するカム穴１２ａが形成されている。カム穴１２は、レリーズプレート及びカム１３が他方の方向（図において、矢印Ａと反対方向）に回転すると、外歯９ａと内歯７ａとの噛合が解除される方向（ロック位置方向）にポール９が移動するように形成されている。
【００１０】
外端部が第２部材１１に係止され、内端部がカム１３に係止された２つのスパイラルスプリングからなるスプリング１５により、カム１３は一方の方向、即ち、ポール９の外歯９ａが第１部材７の内歯７ａに噛合する方向（ロック位置方向）に付勢されている。
【００１１】
ここで、上記構成のリクライニング装置の作動を説明する。
【００１２】
通常、スプリング１５の付勢力により、第２部材１１に設けられた各ポール９は、外歯９ａが、第１部材７の内歯７ａに噛合したロック位置にあり、第１部材７と第２部材１１との相対回転は禁止され、シートバック３はシートクッション２に対して回転ができない状態（ロック状態）にある。
【００１３】
スプリング１５の付勢力に抗して、カム１３，レリーズプレート１２を操作して、他方の方向に回転させると、各ポール９は、外歯９ａと内歯７ａとの噛合が解除されたアンロック位置に移動し、第１部材７と第２部材１１との相対回転が可能となり、シートバック３はシートクッション２に対して回転可能となる。
【００１４】
カム１３への操作力を解除すると、スプリング１５の付勢力により、第２部材１１に設けられた各ポール９の外歯９ａが、第１部材７の内歯７ａに噛合し、第１部材７と第２部材１１との相対回転は禁止され、再びロック状態となる。
【先行技術文献】
【特許文献】
【００１５】
【特許文献１】特表２００９−５０９５９６号公報
【発明の開示】
【発明が解決しようとする課題】
【００１６】
しかし、図８、図９に示すリクライニング装置では、ポール９は４つある。一方、リクライニング装置を構成する部品には、寸法のバラツキがある。
【００１７】
よって、カム１３が一方の方向に回転し、各ポール９をロック位置方向へ移動させる場合、４つのポールが同時に噛み合うことはない。即ち、４つのポール９のうち１つのポール９の外歯９ａが最初に第１部材７の内歯７ａに遊びなく噛合する。
【００１８】
カム１３の軸８と第１部材７の穴７ｂとの間にもガタがあるので、カム１３は相対回転の軸と直交する面上で若干移動可能である。よって、４つのポール９のうち１つのポール９の外歯９ａと、第１部材７の内歯７ａとが遊びなく噛合した状態で、残りの３つのポール９のうちの１つのポールは、第１部材７の内歯７ａと遊びがない噛合となり、カム１３の回転は禁止される。
【００１９】
即ち、複数のポールのうち、２つのポールは遊びのない噛合となるが、遊びのない噛合が、どの位置になるかは定まっていない。隣り合うポールが遊びのない噛合となった場合、リクライニング装置のロック強度が低下し、ガタも多い問題点がある。
【００２０】
本発明は、上記問題点に鑑みてなされたもので、その課題は、ロック強度が大きく、ガタが少ないリクライニング装置を提供することにある。
【００２１】
尚、複数のポールを有するリクライニング装置がロック状態にある場合、部品精度により、各ポールの外歯と、第１部材の内歯との噛み合い量が異なる。即ち、複数のポールのうち、少なくとも１つのポールはロック方向・アンロック方向に移動できない噛合状態にあり、他のポールはロック方向・アンロック方向に若干移動可能な噛合状態にある。
【００２２】
本明細書では、前者のポールの外歯と内歯との噛合状態を「遊びなく噛合する」或は「遊びがない噛合」という。また、後者のポールの外歯と内歯との噛合状態を「遊びをもって噛合する」或は「遊びがある噛合」という。
【課題を解決するための手段】
【００２３】
課題を解決する請求項１に係る発明は、円周方向に沿って内歯が形成された第１部材と、前記内歯と噛合可能な外歯を有した複数のポールと、前記第１部材の開放面側に積層され、前記第１部材と前記円周方向に相対回転可能に設けられ、前記外歯が前記内歯と噛合するロック位置，前記外歯が前記内歯から離れたアンロック位置の間で前記各ポールを案内するガイド手段が形成された第２部材と、前記第１部材と前記第２部材との間で、前記相対回転の軸上に回転可能に設けられ、一方の方向に回転すると前記外歯が前記内歯に噛合する方向に前記ポールを移動させるカム手段と、を有し、前記ポールの外歯が前記第１部材の前記内歯に噛合することにより、前記第１部材と第２部材との相対回転が禁止されるリクライニング装置において、前記複数のポールは、対角位置に配置された一対のメインポールと、少なくとも1つのサブポールとからなり、前記カム手段が前記各ポールをロック位置に移動させ、前記一対のメインポールの外歯と第１部材の内歯とが遊びがない噛合となった状態で、前記サブポールの外歯と前記第１部材の内歯とは遊びがある噛合であることを特徴とするリクライニング装置である。
【００２４】
請求項２に係る発明は、前記メインポールは、上下方向に配置されていることを特徴とする請求項１記載のリクライニング装置である。
【００２５】
請求項３に係る発明は、前記カム手段の前記サブポールを押す面は、前記相対回転の軸を中心とする円周面であり、前記カム手段により押される前記サブポールの面の終端は、前記相対回転の軸に沿い、前記円周面に接触可能な突部であることを特徴とする請求項１または２記載のリクライニング装置である。
【００２６】
請求項４に係る発明は、前記カム手段は、前記相対回転の軸上に回転可能に設けられ、前記サブポールの前記外歯が設けられた面と反対側の面を直接押して、前記外歯が前記第１部材の内歯に噛合する方向に前記サブポールを移動させる第１カムと、該第１カムと前記メインポールとの間に設けられ、前記第１カムに押されると前記メインポールの前記外歯が設けられた面と反対側に形成された面を押し、前記外歯が前記第１部材の内歯に噛合する方向に前記メインポールを移動させる第２カムと、からなることを特徴とする請求項１乃至３のいずれかに記載のリクライニング装置である。
【発明の効果】
【００２７】
請求項１に係る発明によれば、前記複数のポールは、対角位置に配置された一対のメインポールと、少なくとも1つのサブポールとからなり、前記カム手段が前記各ポールをロック位置に移動させ、前記一対のメインポールの外歯と第１部材の内歯とが遊びがない噛合となった状態で、前記サブポールの外歯と前記第１部材の内歯とは遊びがある噛合であることにより、対角位置に遊びのない噛合が得られ、ロック強度が大きく、ガタが少ない。
【００２８】
請求項２に係る発明によれば、前記メインポールは、上下方向に配置されていることにより、遊びがない噛合が上下方向となり、前後方向の振動によるガタが発生しない。
【００２９】
請求項３に係る発明によれば、前記カム手段の前記サブポールを押す面は、前記相対回転の軸を中心とする円周面であり、前記カム手段により押される前記サブポールの面の終端は、前記相対回転の軸に沿い、前記円周面に接触可能な突部であることにより、前記メインポールの外歯と第１部材の内歯とが遊びがない噛合となった状態で、前記サブポールの外歯と前記第１部材の内歯とが遊びがある噛合を実現できる。
【００３０】
請求項４に係る発明によれば、前記カム手段は、前記相対回転の軸上に回転可能に設けられ、前記サブポールの前記外歯が設けられた面と反対側の面を直接押して、前記外歯が前記第１部材の内歯に噛合する方向に前記サブポールを移動させる第１カムと、該第１カムと前記メインポールとの間に設けられ、前記第１カムに押されると前記メインポールの前記外歯が設けられた面と反対側に形成された面を押し、前記外歯が前記第１部材の内歯に噛合する方向に前記メインポールを移動させる第２カムと、からなることにより、対角位置にあるメインポールをロック位置の最深位置まで追い込めるので、遊びのない噛合を実現できる。
【図面の簡単な説明】
【００３１】
【図１】本実施形態のリクライニング装置の分解斜視図である。
【図２】図１のリクライニング装置を組み付けた際の矢印Ｃ方向から見た正面図である。
【図３】図２の切断線Ａ−Ａでの断面図である。
【図４】図２の切断線Ｂ−Ｂでの断面図である。
【図５】図１の第１ポールと第２カムとの斜視図である。
【図６】図５の矢印Ｄ方向から見た斜視図である。
【図７】シートの構成図である。
【図８】従来のリクライニング装置の分解斜視図である。
【図９】図８に示すリクライニング装置で、第２部材、シャフト、スプリングを除いて組み付けた状態でのＡ方向矢視図である。
【発明を実施するための形態】
【００３２】
次に図面を用いて本発明の実施の形態を説明する。
【００３３】
本実施の形態例のりクライング装置は、図７に示すリクライニング装置４と同様に、シートバック３の傾動の回転軸上に設けられるものである。
【００３４】
図１−図６を用いて、本実施形態のリクライング装置を説明する。図１は本実施形態のリクライニング装置の分解斜視図、図２は図１のリクライニング装置を組み付けた際の矢印Ｃ方向から見た正面図、図３は図２の切断線Ａ−Ａでの断面図、図４は図２の切断線Ｂ−Ｂでの断面図、図５は図１の第１ポールと第２カムとの斜視図、図６は図５の矢印Ｄ方向から見た斜視図である。
【００３５】
図１−図４において、シートバック側に設けられるラチェット（第１部材）２１は、円板状の板材をプレスにより半抜加工した有底円筒状で、円形凹部２１ａが形成されている。この円形凹部２１ａの内周面には、内歯２３が円周方向全域に形成されている。また、円形凹部２１ａの中心には、貫通した穴２１ｂが形成されている。
【００３６】
シートクッション側に設けられるベースプレート（第２部材）２５も、円板状の板材をプレスにより半抜加工し、円形凹部２５ａが形成されている。この円形凹部２５ａの径は、ラチェット２１の外径より若干大きく設定されている。そして、円形凹部２５ａに、ラチェット２１が嵌め込まれ、ベースプレート２５とラチェット２１とは相対回転可能となっている。また、ラチェット２１の中心には、貫通した穴２１ｂが形成されている。
【００３７】
そして、ラチェット２１の外周部と、ベースプレート２５の外周部とは、リング状の外周リング２７により挟持され、ラチェット２１とベースプレート２５とは、相対回転の軸（図１においてＯ）方向に分離されることなく、相対回転可能に保持されている。
【００３８】
ラチェット２１の円形凹部２１ａとベースプレート２５の円形凹部２５ａとが形成する空間には、第１カム（カム手段）３１が配置される。第１カム３１は、相対回転の軸と直交する平面上に延出する本体３１ｂと、筒状で、ベースプレート２５の穴２５ｂに回転可能に支持され、穴２５ｂを介して外部に突出する軸部３１ａとからなっている。軸部３１ａは相対回転の軸と直交する平面での断面形状は、略小判形状となっている。また、本体部３１ｂには、ラチェット２１方向に突出する２つの突部３１ｃが形成されている。
【００３９】
第１カム３１とラチェット２１の円形凹部２１ａとの間には、レリーズプレート３３が配置される。このレリーズプレート３３には、第１カム３１の突部３１ｃが係合する穴３３ａが形成されている。この突部３１ｃと穴３３ａの係合により、第１カム３１とレリーズプレート３３とは一体となって回転する。
【００４０】
レリーズプレート３３とベースプレート２５の円形凹部２５ａとの間には、円周方向に沿って第１ポール（メインポール）４１と、第２ポール（サブポール）４３とが交互に計４つ配置されている。尚、本実施形態では、一対の第１ポール４１は、対角位置に配置され、更に、上下方向に配置されている。
【００４１】
第１ポール４１，第２ポール４３の内歯２３と対向する面には、内歯２３に噛合可能な外歯４１ａ，４３ａが形成されている。
【００４２】
ベースプレート２５の円形凹部２５ａには、第１ポール４１，第２ポール４３の側部を挟むように４つのポールガイド３７が形成されている。このポールガイド３７により、第１ポール４１，第２ポール４３は相対回転の半径方向にのみ移動可能となっている。即ち、ポールガイド３７は、外歯４１ａ、外歯４３ａがラチェット２１の内歯２３と噛合するロック位置，外歯４１ａ、外歯４３ａがラチェット２１の内歯２３から離れたアンロック位置の間で、第１ポール４１，第２ポール４３を案内する。
【００４３】
また、第１ポール４１と第１カム３１との間には、第２カム（カム手段）４５が配置される。
【００４４】
ここで、図５，図６を用いて、第１ポール４１と第２カム４５とを説明する。
【００４５】
第１ポール４１のレリーズプレート３３と対向する面の一方の側には、第１ポール４１の背面（第１ポール４１の外歯４１ａが形成された面と反対側の面）から外歯４１ａに向かって凹部４１ｂが形成されている。そして、凹部４１ｂの底面側は、積層部４１ｃとなっている。
【００４６】
一方、第２カム４５は、第１ポール４１の背面に当接可能な当接部４５ａと、第１ポール４１の凹部４１ｂに嵌合し、積層部４１ｃと相対回転の軸方向に互いに重なる積層部４５ｃとからなっている。
【００４７】
図１−図４に戻って、第１ポール４１、第２ポール４３のレリーズプレート３３と対向する面には、レリーズプレート３３方向に突出する突部４１ｄ、突部４３ｄが形成されている。レリーズプレート３３には、これら第１ポール４１、第２ポール４３の突部４１ｄ、突部４３ｄが係合するカム穴３３ｂ、カム穴３３ｃが形成されている。このカム穴３３ｂ、カム穴３３ｃは、レリーズプレート３３が図１において矢印Ｔ方向（他方の方向）に回転すると、ポールガイド３７に沿って、第１ポール４１の外歯４１ａ、第２ポール４３の外歯４３ａがラチェット２１の内歯２３より離れる方向（アンロック位置方向）に第１ポール４１、第２ポール４３を移動させる形状に設定されている。
【００４８】
第１カム３１の本体部３１ｂの外周部には、周方向に沿って４つの第１突部３１ｄ、４つの第２突部３１ｅが交互に形成されている。第１突部３１ｄは、第１カム３１が図１において矢印Ｔ方向と反対方向（一方の方向）に回転すると、第２カム４５の第１カム３１との対向部に形成されたＶ字溝４５ｂ（図５、図６参照）及び第２ポール４３の第１カム３１との対向部に形成されたＶ字状溝４３ｂの斜面を押接し、第２ポール４３と、第２カム４５に押される第１ポール４１とは、ポールガイド３７に沿って、外歯４１ａ、外歯４３ａがラチェット２１の内歯２３に噛合する方向（ロック位置方向）に移動するようになっている。また、第２突部３１ｅは、第１カム３１が図１において矢印Ｔ方向と反対方向（一方の方向）に回転すると、第１ポール４１の第１カム３１との対向部に形成された突部４１ｅ（図５、図６参照）及び第２ポール４３の第１カム３１との対向部に形成された突部４３ｃに微少な隙間を介して対向するようになっている。尚、本実施形態の第１突部３１ｄの先端面は、相対回転の軸を中心とする円周面とした。
【００４９】
ベースプレート２５から外部に突出した第１カム３１の軸部３１ａには、スパイラルスプリング５１の内端部が係止されている。スパイラルスプリング５１の外端部は、ベースプレート２５の係止されている。そして、スパイラルスプリング５１は、第１カム３１を矢印Ｔ方向と逆方向（一方の方向）に付勢している。よって、このスパイラルスプリング５１は、ロック位置方向に第１ポール４１，第２ポール４３を付勢する付勢手段として機能する。
【００５０】
ここで、上記構成のリクライニング装置の作動を説明する。
【００５１】
通常、スパイラルスプリング５１の付勢力により、第１カム３１を介して、ベースプレート２５に設けられた第１ポール４１、第２ポール４３は、外歯４１ａ，外歯４３ａが、ラチェット２１の内歯２３に噛合したロック位置にあり、ラチェット（第１部材）２１とベースプレート（第２部材）２５との相対回転は禁止され、シートバックはシートクッションに対して回転ができない状態（ロック状態）にある。
【００５２】
尚、本実施形態では、第１カム３１が第１ポール４１、第２ポール４３をロック位置に移動させた場合、第１ポール４１の外歯４１ａとラチェット２１の内歯２３とが遊びがない噛合となった状態で、第２ポール４３の外歯４３ａとラチェット２１の内歯２３とは遊びがある噛合となるように、第１カム３１の第１突部３１ｄの先端面、第２カム４５の溝４５ｂの斜面、第２ポール４３の溝４３ｂの斜面が形成されている。
【００５３】
具体的には、第１カム３１の第１突部３１ｄの先端面を相対回転の軸を中心とする円周面とし、第１ポール４１の外歯４１ａとラチェット２１の内歯２３とが遊びがない噛合となった状態では、第１カム３１の第１突部３１ｄの先端面は、第２カム４５の溝４５ｂの斜面を押すが、第１ポールの外歯４１ａと内歯２３の噛み合い量と、第２ポール４３の外歯４３ａと内歯２３との噛み合い量に差があるようにした。
【００５４】
スパイラルスプリング５１の付勢力に抗して、第１カム３１を操作して、他方の方向に回転させると、レリーズプレート３３を介して、第１ポール４１、第２ポール４３は、外歯４１ａ，外歯４３ａが、ラチェット２１の内歯２３との噛合が解除されたアンロック位置に移動し、ラチェット（第１部材）２１とベースプレート（第２部材）２５との相対回転が可能となり、シートバックはシートクッションに対して回転可能となる。
【００５５】
第１カム３１への操作力を解除すると、スパイラルスプリング５１の付勢力により、第１ポール４１、第２ポール４３は、外歯４１ａ，外歯４３ａが、ラチェット２１の内歯２３に噛合し、ラチェット（第１部材）２１とベースプレート（第２部材）２５との相対回転は禁止され、再びロック状態となる。
【００５６】
このような構成によれば、以下のような効果が得られる。
【００５７】
(1) 複数のポールは、対角位置に配置された一対の第１ポール（メインポール）４１と、一対の第２ポール（サブポール）４３とからなり、第１カム（カム手段）３１が第１ポール４１を、第１カム（カム手段）３１，第２カム（カム手段）４５が第２ポール４３をロック位置に移動させ、第１ポール（メインポール）４１の外歯４１ａとラチェット（第１部材）２１の内歯２３とが遊びがない噛合となった状態で、第２ポール（サブポール）４３の外歯４３とラチェット（第１部材）２１の内歯２３とは遊びがある噛合であることにより、対角位置に遊びのない噛合が得られ、ロック強度が大きく、ガタが少ない。
【００５８】
(2) 第1ポール（メインポール）４１は、上下方向に配置されていることにより、遊びがない噛合が上下方向となり、前後方向の振動によるガタが発生しない。
【００５９】
(3) 第１カム３１の第１突部３１ｄの先端面を相対回転の軸を中心とする円周面とし、第１ポール４１の外歯４１ａとラチェット２１の内歯２３とが遊びがない噛合となった状態では、第１カム３１の第１突部３１ｄの先端面は、第２カム４５の溝４５ｂの斜面を押すが、第１ポールの外歯４１ａと内歯２３の噛み合い量と、第２ポール４３の外歯４３ａと内歯２３との噛み合い量に差があるようにしたことにより、第１カム３１が第１ポール４１、第２ポール４３をロック位置に移動させた場合、第１ポール４１の外歯４１ａとラチェット２１の内歯２３とが遊びがない噛合となった状態で、第２ポール４３の外歯４３ａとラチェット２１の内歯２３とは遊びがある噛合を実現できる。
【００６０】
(4) カム手段は、相対回転の軸上に回転可能に設けられ、第２ポール（サブポール）４３の外歯４３ａが設けられた面と反対側の面を直接押して、外歯４３ａがラチェット（第１部材）２１の内歯２３に噛合する方向に第２ポール（サブポール）４３を移動させる第１カム３１と、第１カム３１と第１ポール（メインポール）４１との間に設けられ、第１カム３１に押されると第１ポール（メインポール）４１の外歯４３ａが設けられた面と反対側に形成された溝４５ｂの斜面を押し、外歯４３ａがラチェット（第１部材）２１の内歯２３に噛合する方向に第１ポール（メインポール）４１を移動させる第２カム４５と、からなることにより、対角位置にある第１ポール（メインポール）４１をロック位置の最深位置まで追い込めるので、遊びのない噛合が得られる。
【００６１】
なお、本発明は、上記実施の形態に限定するものではない。第２カムの形状は、第１ポールと第１カムとの間に配置される円形の第２カムであってもよい。
【００６２】
第２ポール４３の数は、２つに限定するものではなく、１つ以上あればよい。
【符号の説明】
【００６３】
２１  ラチェット（第１部材）
２５  ベースプレート（第２部材）
３１  第１カム
４１  第１ポール
４３  第２ポール
４５  第２カム
４５ｄ  突部
【図１】
0005635435.tif 000002
【図２】
0005635435.tif 000003
【図３】
0005635435.tif 000004
【図４】
0005635435.tif 000005
【図５】
0005635435.tif 000006
【図６】
0005635435.tif 000007
【図７】
0005635435.tif 000008
【図８】
0005635435.tif 000009
【図９】
0005635435.tif 000010